(57)【要約】【課題】手の不自由な身障者でも、履き口の掴みやすい靴下を提供する。【解決手段】口ゴム部の先端を袋状に折り返して縫製したニットにおいて、該袋が手の不自由な身障者の掴みうる把持部４を有してなり、該把持部４が編地と段差を有する円柱状の可撓性クッション材からなり、袋の太さが編地の厚みの２．５倍以上の膨らみを有して掴みやすいようにした身障者用ニットと、また口ゴム部の先端を袋状に折り返して縫製したニットにおいて、該袋が手の不自由な身障者の掴みうる把持部を有してなり、該把持部が袋を外に折り返して二重にしたものからなり、該袋内に指が入る箇所を縫製しないようにした身障者用ニットを構成する。【選択図】図１
0003106420.tif 000002
【実用新案登録請求の範囲】
【請求項１】
口ゴム部の先端を袋状に折り返して縫製したニットにおいて、該袋が手の不自由な身障者の掴みうる把持部を有してなり、該把持部が編地と段差を有する円柱状の可撓性クッション材からなり、袋の太さが編地の厚みの２．５倍以上の膨らみを有して掴みやすいようにしたことを特徴とする身障者用ニット。
【請求項２】
把持部が、袋内に詰め物をした請求項１記載の身障者用ニット。
【請求項３】
把持部が、口ゴムの先端を渦巻き状にカールした請求項１記載の身障者用ニット。
【請求項４】
把持部が、パイル編地である請求項１記載の身障者用ニット。
【請求項５】
口ゴム部の先端を袋状に折り返して縫製したニットにおいて、該袋が手の不自由な身障者の掴みうる把持部を有してなり、該把持部が袋を外に折り返して二重にしたものからなり、該袋内に指が入る箇所を縫製しないようにしたことを特徴とする身障者用ニット。
【請求項６】
ニットが、靴下またはサポータである請求項１または請求項５記載の身障者用ニット。
【考案の詳細な説明】
【技術分野】
【０００１】  本考案は、手の不自由な身障者用ニットに関するものである。
【背景技術】
【０００２】  脳梗塞の後遺症を始めとして、手の不自由な身障者は多い。然し身障者にとっては、指先を握り締める力が弱いので、従来の靴下では履きずらく、これに対する改善が望まれている。そして手の不自由な身障者にとっては、指先を完全に閉じきらなくても掴めるようなものや、指先を差し込んで摘み上げれるものが望ましい。【０００３】  介護用の靴下としては、先行技術として、ファスナーで開くようにしたものがある（例えば、特許文献１、実用新案文献１）。これ等の文献は、介護用の靴下であって、手の不自由な身障者にとっては、このような靴下でも、うまく履くことはできない。
【特許文献１】特開２００２−１１５１０１号公報
【実用新案文献１】
実登第３０４８１３０号公報
【０００４】  また、口ゴムを伸びやすくして、履きやすくした介護用の靴下も開示されている（例えば、実用新案文献２）。さらに口ゴム部の上部に伸びる編地を設けた先行技術もある（例えば、特許文献２）。然しこれ等も、身障者にとっては、履き口を掴むことができない。
【実用新案文献２】
実登第３０４１８５８号公報
【特許文献２】特開２００１−２００４１１号公報
【０００５】  そして口ゴム部の内側に、シリコンゴムを設けて袋状にしたものもある（例えば、特許文献３）。然しこの技術は，ずり落ち防止用の靴下である。
【特許文献３】特開２００２−１８０３０２号公報
【０００６】  そしてまた、履口部の後半部分にパイル編地の舌片を設けた靴下の先行技術もある（例えば、特許文献４）。然しこの舌片では、手の不自由な身障者にとって、掴むことはできない。
【特許文献４】特開２００１−３０３４０４号公報
【考案の開示】
【考案が解決しようとする課題】
【０００７】  そのために本考案は、手の不自由な身障者でも、履き口の掴みやすい靴下の提供することを課題とする。
【課題を解決するための手段】
【０００８】  本考案は、口ゴム部の先端を袋状に折り返して縫製したニットにおいて、該袋が手の不自由な身障者の掴みうる把持部を有してなり、該把持部が編地と段差を有する円柱状の可撓性クッション材からなり、袋の太さが編地の厚みの２．５倍以上の膨らみを有して掴みやすいようにした身障者用ニットを構成した。【０００９】  また本考案は、口ゴム部の先端を袋状に折り返して縫製したニットにおいて、該袋が手の不自由な身障者の掴みうる把持部を有してなり、該把持部が袋を外に折り返して二重にしたものからなり、該袋内に指が入る箇所を縫製しないようにした身障者用ニットを構成して上記の課題を解決した。
【考案の効果】
【００１０】  本考案のニットは、口ゴム部に把持部を設けて掴めるようにしたので、手の不自由な身障者でも握りやすく、履きやすい靴下となった。【００１１】  本考案のニットは、口ゴム部に設けた袋を太い膨らみのあるものとすれば、手の不自由な身障者でも掴めやすいニットとなる。【００１２】  本考案のニットは、口ゴム部に設けた袋を指が入るようにすれば、手の不自由な身障者でも掴めやすいニットとなる。
【考案を実施するための最良の形態】
【００１３】  以下、本考案のニットを図面に基づいて詳細に説明する。【００１４】  図１は、本考案の実施例１から実施例４の、把持部が口ゴム部に設けた袋を太い膨らみのあるものとした身障者用の靴下からなるニットの例を示す斜視図である。靴下の図柄は無地を始めとする各種の図柄にすることができ、機種も関係ない。
【実施例１】
【００１５】  図２は、図１の袋の内部を拡大した実施例１の断面図である。図１の靴下からなるニット１は、口ゴム部２の先端を袋状３に折り返して、図２の把持部４を設けて、一端で縫製５している。袋３内には、円柱状の可撓性クッション材を入れており、編地６と段差を有するようにしているため、手の不自由な身障者でも把持部４を容易に掴むことができる。なお口ゴム部２のゴムは、どの場所に入っているか、あるいはゴムが入ってないかは関係ない。また図１において、把持部４から足首までの長さＬの長短は関係なく、全ての寸法が本発明に包含される。【００１６】  本実施例の場合には、把持部４となる袋３内には詰め物７を入れている。そのため、袋の直径は２糎の太いものとなっている。本実施例の靴下は、厚地の冬物用であるが、それでも編地６の厚みは、２．５粍である。従って、膨らみを有する把持部４は、本実施例の場合は８倍である。本発明の膨らみを有する把持部４は、少なくとも編地の２．５倍以上の太さにして、手の不自由な身障者でも掴みやすいようにしている。
【実施例２】
【００１７】  図３は、図１の袋の内部を拡大した実施例２の断面図である。実施例１と同じ図１の靴下からなるニットにおいて、図３の把持部１４を設けて、一端で縫製１５している。袋内には、円柱状の可撓性クッション材を入れており、編地１６と段差を有するようにしているため、これも手の不自由な身障者でも把持部１４が容易に掴めるようにしている。【００１８】  本実施例の場合には、把持部１４となる袋内には口ゴムの先端を渦巻き状にカール１７して入れている。そのため、袋の直径は同じく２糎の太いものとなっている。本実施例の靴下は、厚地の冬物用であるが、それでも編地１６の厚みは、２．５粍である。従って、膨らみを有する把持部１４は、本実施例の場合は８倍である。本発明の膨らみを有する把持部１４は、少なくとも編地の２．５倍以上の太さにして、手の不自由な身障者でも掴みやすいようにしている。
【実施例３】
【００１９】  図４は、図１の袋の内部を拡大した実施例３の断面図である。実施例１と同じ図１の靴下からなるニットにおいて、図４の把持部２４を設けて、一端で縫製２５している。袋内には、円柱状の可撓性クッション材を入れており、編地２６と段差を有するようにしているため、これも手の不自由な身障者でも把持部２４が容易に掴めるようにしている。【００２０】  本実施例の場合には、把持部２４となる袋内の編地はパイル編２７にしている。そのため、袋の横幅の太さは７．５粍厚になっている。本実施例の靴下は、厚地の冬物用であるが、それでも編地２６の厚みは２．５粍である。従って、膨らみを有する把持部２４は、本実施例の場合は２．８倍であり、段差も有している。本発明の膨らみを有する把持部２４は、少なくとも編地の２．５倍以上の太さにして、手の不自由な身障者でも掴みやすくしている。
【実施例４】
【００２１】  図５は、図１の袋の内部を拡大した実施例４の断面図である。実施例１と同じ図１の靴下からなるニットにおいて、図５の把持部３４を設けて、一端で縫製３５している。袋内には、円柱状の可撓性クッション材を入れており、パイル抜きの編地３６と段差を有するようにしているため、これも手の不自由な身障者でも把持部３４が容易に掴めるようにしている。なお本実施例の靴下は、内面がパイル編地３８になっている。然し縫製３５箇所は、パイル抜きの編地３６となっいるので、パイル抜きの編地３６と把持部３４には段差を有するものとなっている。【００２２】  即ち本実施例の場合には、把持部３４となる袋内の編地はパイル編３７にしている。そのため、袋の横幅の太さは７．５粍厚になっている。本実施例の靴下は、厚地の冬物用であるが、それでもパイル抜きの編地３６の厚みは２．３粍である。従って、膨らみを有する把持部３４は、本実施例の場合は２．８倍であり、段差も有している。本発明の膨らみを有する把持部３４は、少なくとも編地の２．５倍以上の太さにして、手の不自由な身障者でも掴みやすくしている。
【実施例５】
【００２３】  図６は、本考案の実施例５の、袋を外に折り返して二重にし、袋内に指が入る箇所を縫製しないようにした身障者用の靴下からなるニットの例を示す平面図である。靴下の図柄は、無地を始めとする各種の図柄にすることができ、機種も関係ない。【００２４】  図６の靴下からなるニット４１は、口ゴム部４２の先端を袋状４３に外側に折り返し、手の不自由な身障者でも掴みうる把持部４４を設けている。二重にした袋４３の中には、外側から指を入れて把持するようにしており、従って、縫製箇所４５ａ，４５ａまたは４５ｂ，４５ｂは、指を入れる箇所４９は塞がないようにしている。縫製箇所４５ａ，４５ａまたは４５ｂ，４５ｂとなっているのは、４５ａのように端でスポット縫製しても、４５ｂのように中央でスポット縫製してもよいからである。なおスポット縫製といっても、点縫製ではなく、本実施例の場合は前後２糎幅を縫製するようにしており、さらにスポットでなくても前後面の１／４周程度を閉じるようにしてもよい。なお口ゴム部４２のゴムは、どの場所に入っているか、あるいはゴムが入ってないかは関係ない。
【実施例６】
【００２５】  図７は、本考案の実施例６の把持部を口ゴム部に設けた袋を太い膨らみのあるものとした身障者用のサポータからなるニットの例を示す斜視図である。【００２６】  図７のサポータからなるニット５１は、口ゴム部５２の先端を袋状５３に折り返して、把持部５４を設けて、一端で縫製５５している。袋５３内には、円柱状の可撓性クッション材５７を入れており、編地５６と段差を有するようにしているため、手の不自由な身障者でも把持部５４を容易に掴むことができる。【００２７】  袋５３内のクッション材５７は、靴下の実施例と同様に、詰め物や、口ゴムの先端を渦巻き状にカールさせたり、パイル編地等で膨らみをもたせることができる。なお把持部５４は、上下に設けるようにしてもよい。
【実施例７】
【００２８】  図８は、本考案の実施例７の、袋を外に折り返して二重にし、袋内に指が入る箇所を縫製しないようにした身障者用のサポータからなるニットの例を示す斜視図である。【００２９】  図８のサポータからなるニット６１は、口ゴム部６２ａ，６２ｂの先端を袋状６３ａ，６３ｂに外側に折り返し、手の不自由な身障者でも掴みうる把持部６４ａ，６４ｂを設けている。二重にした袋６３ａ，６４ｂの中には、外側から指を入れて把持するようにしており、従って、縫製箇所６５ａ…６５ａ，６５ｂ…６５ｂは、指を入れる箇所６９ａ，６９ｂは塞がないようにしている。縫製箇所６５ａ，６５ｂは、端のスポット縫製を示したが、中央で縫製するようにしてもよい。またスポットでなくても前後面の１／４周を閉じるようにしてもよい。なおこのサポータの場合は、二重にした袋６３ａ，６４ｂや把持部６４ａ，６４ｂを上下に設けるようにして、着用する時だけでなく、拭ぐ時にも便利にしたが、片方だけに設けるようにしてもよい。
【産業上の利用可能性】
【００３３】  本考案の身障者用ニットは、靴下やサポータに広く適用することができる。
【図面の簡単な説明】
【００３４】
【図１】  本考案の実施例１から実施例４の、把持部が口ゴム部に設けた袋を太い膨らみのあるものとした身障者用の靴下からなるニットの例を示す斜視図である。
【図２】  図１の袋の内部を拡大した実施例１の断面図である。
【図３】  図１の袋の内部を拡大した実施例２の断面図である。
【図４】  図１の袋の内部を拡大した実施例３の断面図である。
【図５】  図１の袋の内部を拡大した実施例４の断面図である。
【図６】  本考案の実施例５の、袋を外に折り返して二重にし、袋内に指が入る箇所を縫製しないようにした身障者用の靴下からなるニットの例を示す平面図である。
【図７】  本考案の実施例６の、把持部を口ゴム部に設けた袋を太い膨らみのあるものとした身障者用のサポータからなるニットの例を示す斜視図である。
【図８】  本考案の実施例７の、袋を外に折り返して二重にし、袋内に指が入る箇所を縫製しないようにした身障者用のサポータからなるニットの例を示す斜視図である。
【符号の説明】
【００３５】  １，４１                                          靴下からなるニット
５１，６１                                        サポータからなるニット
２，４２，５２，６２ａ，６２ｂ                    口ゴム部
３，４３，５３，６３ａ，６３ｂ                    袋
４，１４，２４，３４，４４，５４，６４ａ，６４ｂ  把持部
５，１５，２５，３５，５５，５５                  縫製箇所
４５ａ，４５ｂ，６５ａ，６５ｂ                    スポット縫製箇所
６，１６，２６，５６                              段差を有する編地
３６                                              段差を有するパイル抜きの編地
７                                                詰め物
１７                                              口ゴム先端の渦巻き状カール
２７                                              パイル編
３７                                              パイル編地
５７                                              各種可撓性クッション材
３８                                              パイルの編地
４９，６９ａ，６９ｂ                              指を入れる箇所
Ｌ                                                把持部から足首までの長さ
【図１】
0003106420.tif 000003
【図２】
0003106420.tif 000004
【図３】
0003106420.tif 000005
【図４】
0003106420.tif 000006
【図５】
0003106420.tif 000007
【図６】
0003106420.tif 000008
【図７】
0003106420.tif 000009
【図８】
0003106420.tif 000010